(57)【特許請求の範囲】
【請求項１】
通電により光を発する発光部と、
電力を蓄えるバッテリと、
前記発光部への電力の供給源を外部の交流電源と前記バッテリの間で切り替える電源切替部と、
前記交流電源の停電を検出した場合に信号を送信する停電検出部と、
前記停電検出部からの信号の受信に基づいて、前記発光部への電力の供給源を前記交流電源から前記バッテリに切り替えるように前記電源切替部を制御する制御部と、
前記停電検出部の検出機能を拡張する検出機能拡張部と、を備え、
前記停電検出部は、前記交流電源に接続される一次コイルおよび前記制御部に接続される二次コイルを有する高周波トランスを備え、
前記検出機能拡張部は、
前記停電検出部よりも前記交流電源側において前記一次コイルと並列に接続される補助コンデンサまたは補助抵抗と、
前記補助コンデンサまたは前記補助抵抗と直列に接続され、前記補助コンデンサまたは前記補助抵抗と前記一次コイルの接続および遮断を切り替える検出スイッチと、を備えることを特徴とする、
照明装置。
【請求項２】
外部から送信された信号を受信する通信部と、
前記通信部における外部からの信号の受信状態に基づいて、前記検出スイッチの接続および遮断を切り替える検出スイッチ切替部と、を備えることを特徴とする、
請求項１に記載の照明装置。
【請求項３】
前記交流電源からの電力供給の遮断を検出する遮断検出部と、
前記遮断検出部が前記電力供給の遮断を検出したことに基づいて、前記停電検出部および前記検出機能拡張部を前記交流電源に繋がる系統から切り離す装置切離部と、を備えることを特徴とする、
請求項２に記載の照明装置。
【請求項４】
蛍光灯用または電球用のソケットに接続可能な本体を備えることを特徴とする、
請求項１乃至３のいずれかに記載の照明装置。
【請求項５】
蛍光灯用または電球用のソケットに接続可能な本体と、
前記本体が前記ソケットに接続されている場合に前記検出スイッチを遮断状態とし、前記本体が前記ソケットから取り外されている場合に前記検出スイッチを接続状態とする取外し検出部と、を備えることを特徴とする、
請求項１乃至３のいずれかに記載の照明装置。
【請求項６】
前記制御部は、前記停電検出部からの信号の受信が一定時間継続した場合に、前記発光部への電力の供給源を前記交流電源から前記バッテリに切り替えるように前記電源切替部を制御することを特徴とする、
請求項１乃至５のいずれかに記載の照明装置。
【請求項７】
前記停電検出部は、
前記一次コイルと並列に接続される双方向性ダイオードまたは抵抗と、
前記双方向性ダイオードよりも前記交流電源側において前記一次コイルの一側に直列に接続されるコンデンサと、
前記双方向性ダイオードよりも前記交流電源側において前記一次コイルの他側に直列に接続される抵抗と、を備えることを特徴とする、
請求項１乃至６のいずれかに記載の照明装置。
【請求項８】
請求項２または３に記載の照明装置と、
前記照明装置とは別に設けられる補助停電検出装置と、を備え、
前記補助停電検出装置は、
前記照明装置とは別系統を介して前記交流電源に接続され、前記停電を検出する補助停電検出部と、
前記通信部に向けて信号を送信する補助装置側通信部と、
前記補助停電検出部が前記停電を検出したことに基づいて、前記検出スイッチを接続状態とするように前記補助装置側通信部による信号の送信を制御する補助装置制御部と、を備えることを特徴とする、
照明システム。
【請求項９】
前記補助停電検出装置は、周囲の照度を検出する照度検出部を備え、
前記補助装置制御部は、前記補助停電検出部が前記停電を検出し、且つ前記照度検出部が検出した前記周囲の照度が所定の閾値以下であることに基づいて、前記検出スイッチを接続状態とするように前記補助装置側通信部による信号の送信を制御することを特徴とする、
請求項８に記載の照明システム。
【請求項１０】
請求項２または３に記載の照明装置と、
前記照明装置とは別に設けられる補助停電検出装置と、を備え、
前記補助停電検出装置は、
前記交流電源を電力の供給源とする装置の発する光および太陽光の少なくともいずれか一方を常に受ける位置に配置され、周囲の照度を検出する照度検出部と、
前記通信部に向けて信号を送信する補助装置側通信部と、
前記照度検出部が検出した前記周囲の照度が所定の閾値以下であることに基づいて、前記検出スイッチを接続状態とするように前記補助装置側通信部による信号の送信を制御する補助装置制御部と、を備えることを特徴とする、
照明システム。
【発明の詳細な説明】
【技術分野】
【０００１】
本発明は、屋内または屋外を照明する照明装置および照明システムに関し、特に停電を自動的に検出し、バッテリ駆動に切り替えて点灯可能な照明装置および照明システムに関する。
【背景技術】
【０００２】
従来、災害や事故等に起因する停電を自動的に検出し、バッテリ駆動により点灯することで避難経路等を示す非常灯が各種施設に設置されている。この非常灯は一般に、通常時（非停電時）にはバックアップ電源であるバッテリの充電のみを行い、停電を検出した場合にのみ点灯するように構成されている。従って、一般的な非常灯は、通常時に使用される通常照明とは別に、非常時専用の照明として設置する必要があり、設置コストを要すると共に、設置場所も限定されるものとなっていた。
【０００３】
一方、通常照明として使用可能でありながらも、停電を検出した場合には自動的にバッテリ駆動により点灯することが可能な照明装置等も提案されている（例えば、特許文献１または２参照）。このように、通常照明に非常灯と同等の機能を付加することで、設置コストを削減することが可能になると共に、設置場所が限定されないようにすることができる。
【先行技術文献】
【特許文献】
【０００４】
【特許文献１】特開２０１４−８２９１０号公報
【特許文献２】特開２０１４−２９０４号公報
【発明の概要】
【発明が解決しようとする課題】
【０００５】
しかしながら、通常照明に非常灯と同等の機能を付加する場合、壁等に設けられた照明スイッチのＯＮ／ＯＦＦとは区別して停電を検出する必要があり、制御構成が複雑になったり、使い勝手が悪くなったりするという問題があった。
【０００６】
例えば、上記特許文献１に記載の照明装置では、通常時の交流電源（商用電源）の基準電圧を測定して記憶すると共に、交流電源の電圧状態を監視して基準電圧状態と比較し、停電となったか否かを常に判定するようになっており、制御構成が複雑且つ高コストなものとなっていた。
【０００７】
また、上記特許文献２に記載の照明装置では、通常時に照明スイッチをＯＦＦにする操作をＯＦＦ→ＯＮ→ＯＦＦとする特別な操作に変更することで、比較的簡便に停電を検出するようにしており、日常的に行われる照明スイッチのＯＦＦ操作が非常に煩わしく、使い勝手が悪いものとなっていた。
【０００８】
本発明は、斯かる実情に鑑み、より簡便に停電を検出し、バッテリ駆動に切り替えて点灯することが可能な照明装置および照明システムを提供しようとするものである。
【課題を解決するための手段】
【０００９】
（１）本発明は、通電により光を発する発光部と、電力を蓄えるバッテリと、前記発光部への電力の供給源を外部の交流電源と前記バッテリの間で切り替える電源切替部と、前記交流電源の停電を検出した場合に信号を送信する停電検出部と、前記停電検出部からの信号の受信に基づいて、前記発光部への電力の供給源を前記交流電源から前記バッテリに切り替えるように前記電源切替部を制御する制御部と、前記停電検出部の検出機能を拡張する検出機能拡張部と、を備え、前記停電検出部は、前記交流電源に接続される一次コイルおよび前記制御部に接続される二次コイルを有する高周波トランスを備え、前記検出機能拡張部は、前記停電検出部よりも前記交流電源側において前記一次コイルと並列に接続される補助コンデンサまたは補助抵抗と、前記補助コンデンサまたは前記補助抵抗と直列に接続され、前記補助コンデンサまたは前記補助抵抗と前記一次コイルの接続および遮断を切り替える検出スイッチと、を備えることを特徴とする、照明装置である。
【００１１】
（２）本発明はまた、外部から送信された信号を受信する通信部と、前記通信部における外部からの信号の受信状態に基づいて、前記検出スイッチの接続および遮断を切り替える検出スイッチ切替部と、を備えることを特徴とする、上記（１）に記載の照明装置である。
【００１２】
（３）本発明はまた、前記交流電源からの電力供給の遮断を検出する遮断検出部と、前記遮断検出部が前記電力供給の遮断を検出したことに基づいて、前記停電検出部および前記検出機能拡張部を前記交流電源に繋がる系統から切り離す装置切離部と、を備えることを特徴とする、上記（２）に記載の照明装置である。
【００１３】
（４）本発明はまた、蛍光灯用または電球用のソケットに接続可能な本体を備えることを特徴とする、上記（１）乃至（３）のいずれかに記載の照明装置である。
【００１４】
（５）本発明はまた、蛍光灯用または電球用のソケットに接続可能な本体と、前記本体が前記ソケットに接続されている場合に前記検出スイッチを遮断状態とし、前記本体が前記ソケットから取り外されている場合に前記検出スイッチを接続状態とする取外し検出部と、を備えることを特徴とする、上記（１）乃至（３）のいずれかに記載の照明装置である。
【００１５】
（６）本発明はまた、前記制御部は、前記停電検出部からの信号の受信が一定時間継続した場合に、前記発光部への電力の供給源を前記交流電源から前記バッテリに切り替えるように前記電源切替部を制御することを特徴とする、上記（１）乃至（５）のいずれかに記載の照明装置である。
【００１６】
（７）本発明はまた、前記停電検出部は、前記一次コイルと並列に接続される双方向性ダイオードまたは抵抗と、前記双方向性ダイオードよりも前記交流電源側において前記一次コイルの一側に直列に接続されるコンデンサと、前記双方向性ダイオードよりも前記交流電源側において前記一次コイルの他側に直列に接続される抵抗と、を備えることを特徴とする、上記（１）乃至（６）のいずれかに記載の照明装置である。
【００１７】
（８）本発明はまた、上記（２）または（３）に記載の照明装置と、前記照明装置とは別に設けられる補助停電検出装置と、を備え、前記補助停電検出装置は、前記照明装置とは別系統を介して前記交流電源に接続され、前記停電を検出する補助停電検出部と、前記通信部に向けて信号を送信する補助装置側通信部と、前記補助停電検出部が前記停電を検出したことに基づいて、前記検出スイッチを接続状態とするように前記補助装置側通信部による信号の送信を制御する補助装置制御部と、を備えることを特徴とする、照明システムである。
【００１８】
（９）本発明はまた、前記補助停電検出装置は、周囲の照度を検出する照度検出部を備え、前記補助装置制御部は、前記補助停電検出部が前記停電を検出し、且つ前記照度検出部が検出した前記周囲の照度が所定の閾値以下であることに基づいて、前記検出スイッチを接続状態とするように前記補助装置側通信部による信号の送信を制御することを特徴とする、上記（８）に記載の照明システムである。
【００１９】
（１０）本発明はまた、上記（２）または（３）に記載の照明装置と、前記照明装置とは別に設けられる補助停電検出装置と、を備え、前記補助停電検出装置は、前記交流電源を電力の供給源とする装置の発する光および太陽光の少なくともいずれか一方を常に受ける位置に配置され、周囲の照度を検出する照度検出部と、前記通信部に向けて信号を送信する補助装置側通信部と、前記照度検出部が検出した前記周囲の照度が所定の閾値以下であることに基づいて、前記検出スイッチを接続状態とするように前記補助装置側通信部による信号の送信を制御する補助装置制御部と、を備えることを特徴とする、照明システムである。
【発明の効果】
【００２０】
本発明に係る照明装置および照明システムによれば、より簡便に停電を検出し、バッテリ駆動に切り替えて点灯することが可能という優れた効果を奏し得る。
【図面の簡単な説明】
【００２１】
【図１】本発明の第１の実施形態に係る照明装置の構成を示した概略図である。
【図２】同照明装置の回路構成を示したブロック図である。
【図３】（ａ）本発明の第２の実施形態に係る照明装置の回路構成を示したブロック図である。（ｂ）同照明装置の口金周辺を示した概略図である。
【図４】本発明の第３の実施形態に係る照明システムの回路構成を示したブロック図である。
【図５】本発明の第４の実施形態に係る照明システムの回路構成を示したブロック図である。
【図６】（ａ）および（ｂ）照明スイッチがＯＦＦの状態を停電と誤検出する可能性が高まる接続状況の例を示したブロック図である。
【図７】本発明の第５の実施形態に係る照明システムの回路構成を示したブロック図である。
【図８】本発明の第６の実施形態に係る照明システムの回路構成を示したブロック図である。
【発明を実施するための形態】
【００２２】
以下、本発明の実施の形態を添付図面を参照して説明する。
【００２３】
まず、第１の実施形態に係る照明装置１について説明する。図１は、照明装置１の構成を示した概略図であり、図２は、照明装置１の回路構成を示したブロック図である。これらの図に示されるように、照明装置１は、本体１０と、発光部２０と、ＡＣ／ＤＣコンバータ３０と、電源切替部４０と、バッテリ５０と、充放電切替部６０と、停電検出部７０と、制御部８０と、を備えている。
【００２４】
本体１０は、発光部２０およびＡＣ／ＤＣコンバータ３０等の各部を収容するものであり、本実施形態では既存の直管蛍光灯と略同一の寸法形状に構成されている。すなわち、本実施形態の照明装置１は、既存の直管蛍光灯用のソケットに接続し、直管蛍光灯の代替として使用可能に構成されている。
【００２５】
すなわち、本体１０は、既存の直管蛍光灯と略同一の長さの棒状に構成されると共に、両端部に適宜の規格の口金１１が設けられており、この口金１１を介して外部の交流電源（商用電源）１００からの電力が照明装置１の各部に供給されるようになっている。また、通常時（非停電時）における照明装置１のＯＮ／ＯＦＦ（点灯／非点灯）は、壁等に設けられた照明スイッチ１１０によって行うようになっている。
【００２６】
本体１０の上側部分は、適宜の強度および剛性を有する支持部材１２となっており、発光部２０等の各部および口金１１は、この支持部材１２に取り付けられている。また本体１０の下側部分は、断面が略円弧状の半透明のカバー部材１３となっており、発光部２０は、このカバー部材１３によって覆われるようになっている。
【００２７】
発光部２０は、基板２１上に配置された複数のＬＥＤ素子２２を備え、通電により光を発するものである。基板２１はＬＥＤ素子２２を下方に向けた状態で支持部材１２の下側に固定されており、ＬＥＤ素子２２の発する光は、カバー部材１３を透過することで適宜に拡散されるようになっている。
【００２８】
ＡＣ／ＤＣコンバータ３０は、交流電源１００から供給される交流電力を所定の電圧の直流電力に変換するものである。ＡＣ／ＤＣコンバータ３０は、出力側が電源切替部４０および充放電切替部６０に接続されている。ＡＣ／ＤＣコンバータ３０が変換した直流電力は、ＬＥＤ素子２２の駆動用の電力として、電源切替部４０を介して発光部２０に供給される。ＡＣ／ＤＣコンバータ３０が変換した直流電力はまた、バッテリ５０の充電用の電力として、充放電切替部６０を介してバッテリ５０に供給される。
【００２９】
電源切替部４０は、制御部８０に制御され、発光部２０に供給する直流電力を、ＡＣ／ＤＣコンバータ３０からの直流電力と充放電切替部６０からの直流電力の間で切り替えるものである。すなわち、電源切替部４０は、発光部２０に供給する電力の供給源を交流電源１００とバッテリ５０の間で切り替えるものである。
【００３０】
バッテリ５０は、交流電源１００によって充電可能な二次電池であり、停電時における発光部２０への電力供給源として機能するものである。充放電切替部６０は、制御部８０に制御され、バッテリ５０の充電および放電（すなわち、発光部２０への電力の供給）を切り替えるものである。
【００３１】
なお、上述の本体１０、発光部２０、ＡＣ／ＤＣコンバータ３０、電源切替部４０、バッテリ５０、および充放電切替部６０は、既知の適宜の構成のものを採用することが可能であるため、詳細な説明は省略する。
【００３２】
停電検出部７０は、交流電源１００の停電を検出するものであり、高周波トランス７１と、双方向性ダイオード７２と、コンデンサ７３と、抵抗７４と、を備えて構成されている。高周波トランス７１は、一次コイル７１ａが交流電源１００に接続され、二次コイル７１ｂが制御部８０に接続されている。双方向性ダイオード７２は、高周波トランス７１の一次コイル７１ａと並列に接続されている。コンデンサ７３は、双方向性ダイオード７２よりも交流電源１００側において一次コイル７１ａの一側に直列に接続されている。抵抗７４は、双方向性ダイオード７２よりも交流電源１００側において一次コイル７１ａの他側に直列に接続されている。
【００３３】
本実施形態では、停電検出部７０をこのように構成することで、交流電源１００の停電を簡便に検出することを可能としている。具体的には、交流電源１００と制御部８０の間に高周波トランス７１を設けることで、通常時の５０または６０Ｈｚの周波数の交流電力を遮断して制御部８０に伝えないようにしつつ、停電時に２本の電源ケーブル１０１、１０２の間のインピーダンスおよびリアクタンスにより生じる高周波（例えば、数百Ｈｚ〜数十ｋＨｚ）の微弱電流を制御部８０に出力（送信）することが可能となる。
【００３４】
すなわち、高周波トランス７１を設けることで、通常時には制御部８０に信号が出力されず、停電時にのみ制御部８０に信号を出力することが可能となる。さらに、高周波トランス７１と双方向性ダイオード７２、コンデンサ７３および抵抗７４を組み合わせた上述の回路構成とすることで、停電時に生じる高周波の微弱電流のうちの所望の周波数成分（例えば、数ｋＨｚ）を抽出して制御部８０に出力することが可能となる。
【００３５】
なお、本実施形態では、交流電源１００の電圧として一般的な商用電源の電圧を含む９０〜２６０Ｖを想定し、高周波トランス７１としてインダクタンスが２５ｍＨのものを、双方向性ダイオード７２として順方向電圧が３．７Ｖの２つのダイオードを、コンデンサ７３として容量が３３００ｐＦのものを、抵抗７４として抵抗値が１．８Ωのものを使用しているが、各部品の仕様がこれらに限定されないことはいうまでもない。また、双方向性ダイオード７２に代えて、適宜の抵抗値を有する抵抗を使用するようにしてもよい。
【００３６】
制御部８０は、既知のマイコン等から構成され、照明装置１の各部を制御するものである。制御部８０は、停電検出部７０から信号を入力（受信）していない場合、すなわち通常時には、電源切替部４０を、ＡＣ／ＤＣコンバータ３０からの直流電力を発光部２０に供給する状態とする。これにより発光部２０は、交流電源１００が供給する電力によって点灯し、照明スイッチ１１０によってＯＮ／ＯＦＦが可能となる。すなわち、照明装置１を通常照明として使用することができる。
【００３７】
制御部８０はまた、停電検出部７０から信号を入力しておらず、且つバッテリ５０の充電量が所定の下限値以下の場合、充放電切替部６０をＡＣ／ＤＣコンバータ３０からの直流電力をバッテリ５０に供給する状態とする。これによりバッテリ５０は、照明スイッチ１１０がＯＮの場合、すなわち発光部２０が点灯している場合には、交流電源１００によって充電されることとなる。
【００３８】
制御部８０は、その後、バッテリ５０の充電量が所定の上限値に達したならば充電を停止し、自然放電等によってバッテリ５０の充電量が所定の下限値まで低下したならば充電を開始する制御を繰り返す。これにより、バッテリ５０の充電量は所定の下限値以上に保持されることとなる。
【００３９】
制御部８０はまた、停電検出部７０からの信号の入力が一定時間（例えば３秒間）継続した場合に、交流電源１００に停電が発生したと判定し、充放電切替部６０をバッテリ５０からの直流電力を電源切替部４０に供給する状態とすると共に、電源切替部４０を充放電切替部６０からの直流電力を発光部２０に供給する状態とする。これにより、発光部２０は、バッテリ５０によって点灯することとなる。
【００４０】
本実施形態では、このように停電検出部７０から一定時間継続して信号を入力した場合に制御部８０が停電が発生したと判定することで、商用電源において比較的頻繁に発生する瞬停を除外して停電検出の精度を高めるようにしている。
【００４１】
また、本実施形態では、照明スイッチ１１０がＯＦＦの場合には、微弱電流が停電検出部７０内を流れなくなるため、交流電源１００が停電していても停電検出部７０は制御部８０に信号を送信しないようになっている。すなわち、本実施形態では、停電発生時に発光部２０が点灯していなかった場合には、停電発生後も発光部２０は点灯しないようになっている。このようにすることで、例えば停電発生時に室内や施設内全体が無人であるにも関わらず照明装置１がバッテリ５０によって点灯するといった無駄をなくすことが可能となる。
【００４２】
なお、停電の発生後であっても、照明スイッチ１１０をＯＦＦからＯＮにすることで停電検出部７０内に微弱電流が流れるようになるため、発光部２０をバッテリ５０によって点灯させることができる。また、再度照明スイッチ１１０をＯＦＦにすることで、発光部２０を消灯させることができる。すなわち、本実施形態では、停電中においても照明スイッチ１１０によって照明装置１をＯＮ／ＯＦＦすることが可能となっている。
【００４３】
交流電源１００が停電から復帰した場合、停電検出部７０は、制御部８０に信号を出力しなくなる。制御部８０は、停電検出部７０からの信号の入力が一定時間（例えば３秒間）継続してなされなかった場合に、交流電源１００が停電から復帰したと判定し、充放電切替部６０をバッテリ５０を充電可能な状態とすると共に、電源切替部４０をＡＣ／ＤＣコンバータ３０からの直流電力を発光部２０に供給する状態とする。これにより、発光部２０は、交流電源１００によって点灯することとなる。また、バッテリ５０の充電量が所定の下限値以下に低下していた場合、バッテリ５０の充電が開始される。
【００４４】
このように、本実施形態によれば、複雑な制御構成を採用することなく、簡便に停電を検出して発光部２０への電力供給源をバッテリ５０に切り替えることが可能となっている。また、本実施形態では、照明スイッチ１１０がＯＦＦの場合には停電が発生しても発光部２０は点灯しないようになっており、さらに、停電中においても照明スイッチ１１０によって照明装置１をＯＮ／ＯＦＦすることが可能であるため、照明装置１を効率的に使用することが可能となっている。
【００４５】
なお、制御部８０等を動作させるための電力は、バッテリ５０から供給するようにしてもよいし、別途専用のバッテリを設けるようにしてもよい。また、本体１０を電球用のソケットに接続可能に構成し、照明装置１を電球の代替として使用可能に構成するようにしてもよい。
【００４６】
次に、第２の実施形態に係る照明装置２について説明する。本実施形態に係る照明装置２は、第１の実施形態に係る照明装置１に検出機能拡張部９０および取外し検出部９１を追加したものであり、その他の構成は照明装置１と共通である。従って、以下の説明においては、照明装置１と共通の部分については同一の符号を付すと共にその説明を省略し、異なる部分についてのみ説明する。
【００４７】
図３（ａ）は、照明装置２の回路構成を示したブロック図であり、図３（ｂ）は、照明装置２の口金１１周辺を示した概略図である。本実施形態では、検出機能拡張部９０および取外し検出部９１を設けることで、交流電源１００の停電を検出した場合に電力供給源を自動的にバッテリ５０に切り替えて発光部２０を点灯させるだけでなく、本体１０が蛍光灯用ソケットから取り外された場合にも電力供給源を自動的にバッテリ５０に切り替えて発光部２０を点灯させるようにしている。これにより、本実施形態の照明装置２は、停電時に持ち運び可能な電灯としても機能するようになっている。
【００４８】
検出機能拡張部９０は、停電検出部７０の機能を拡張し、停電の検出以外の各種条件によっても停電検出部７０に信号を出力させることを可能とするものである。検出機能拡張部９０は、図３（ａ）に示されるように、停電検出部７０よりも交流電源１００側において停電検出部７０と並列に接続されており、互いに直列に接続された補助コンデンサ９０ａおよび検出スイッチ９０ｂを備えている。従って、補助コンデンサ９０ａは、検出スイッチ９０ｂがＯＮの状態（接続状態）で停電検出部７０の一次コイル７１ａと並列に接続され、検出スイッチ９０ｂがＯＦＦの状態（遮断状態）で一次コイル７１ａから遮断されるようになっている。
【００４９】
すなわち、検出機能拡張部９０は、検出スイッチ９０ｂをＯＮにし、補助コンデンサ９０ａを一次コイル７１ａと並列に接続することで、停電時と同様に高周波の微弱電流を発生させ、この結果、停電検出部７０が制御部８０に向けて信号を出力するように構成されている。従って、制御部８０は、検出スイッチ９０ｂが一定時間（例えば３秒間）継続してＯＮとなった場合においても、充放電切替部６０をバッテリ５０からの直流電力を電源切替部４０に供給する状態とすると共に、電源切替部４０を充放電切替部６０からの直流電力を発光部２０に供給する状態とすることとなる。なお、本実施形態では、補助コンデンサ９０ａとして容量が０．１μＦのものを使用しているが、補助コンデンサ９０ａの容量がこれに限定されないことはいうまでもない。
【００５０】
取外し検出部９１は、本体１０がソケットから取り外されたことを検出するためのものである。取外し検出部９１は、図３（ｂ）に示されるように、口金１１に設けられており、口金１１をソケットに接続した場合にソケットに押圧されることで検出スイッチ９０ｂをＯＦＦとし、口金１１がソケットから外されて押圧が解除されることで検出スイッチをＯＮとする（ＯＮに自動復帰する）ように構成されている。従って、停電検出部７０は、本体１０がソケットから取り外された場合にも制御部８０に信号を出力することとなり、発光部２０は、本体１０のソケットからの取り外しから一定時間の経過後、バッテリ５０によって自動的に点灯することとなる。
【００５１】
このように、本実施形態では、検出機能拡張部９０および取外し検出部９１を備えることで、停電時の暗闇の中でのスイッチ操作を必要とすることなく、照明装置２を点灯させて持ち運ぶことが可能となっている。また、本実施形態では、本体１０がソケットから取り外された場合にも停電時と同様に停電検出部７０から制御部８０に信号が送信されるように検出機能拡張部９０および取外し検出部９１を構成しているため、制御構成を複雑化することなく、本体１０のソケットからの取り外しを検出することが可能となっている。
【００５２】
また、本実施形態では、本体１０をソケットから取り外した状態のまま、指等で取外し検出部９１を一定時間押圧することで、バッテリ５０によって点灯していた発光部２０を消灯させることも可能となっている。すなわち、取外し検出部９１は、照明装置２を持ち運んで使用する際に発光部２０を点灯または消灯させるＯＮ／ＯＦＦスイッチとしても機能するようになっており、使い勝手に優れたものとなっている。
【００５３】
なお、照明装置２の保管時には、取外し検出部９１を押圧する適宜のキャップ等を口金１１に装着し、検出スイッチ９０ｂがＯＦＦ状態に維持されるようにすることで、発光部２０が点灯しないようにすることができる。また、補助コンデンサ９０ａに代えて適宜の抵抗値を有する補助抵抗を設けるようにしてもよい。
【００５４】
次に、第３の実施形態に係る照明システム３について説明する。本実施形態に係る照明システム３は、照明装置４と、補助停電検出装置１２０と、から構成され、照明装置４は、第１の実施形態に係る照明装置１に、検出機能拡張部９０と、通信部９２と、検出スイッチ切替部９３と、を追加したものとなっている。従って、以下の説明においては、照明装置１または２と共通の部分については同一の符号を付すと共にその説明を省略し、異なる部分についてのみ説明する。
【００５５】
図４は、照明システム３の回路構成を示したブロック図である。照明装置４の備える通信部９２は、例えば赤外線や電波の送受信によって補助停電検出装置１２０と通信を行うものである。また、検出スイッチ切替部９３は、例えばリレー等の既知の構成を備え、通信部９２が補助停電検出装置１２０から送信された信号を受信している場合に検出機能拡張部９０の検出スイッチ９０ｂをＯＮとし、通信部９２が補助停電検出装置１２０からの信号を受信していない場合に検出機能拡張部９０の検出スイッチ９０ｂをＯＦＦとするように構成されている。
【００５６】
すなわち、本実施形態の照明装置４は、外部の補助停電検出装置１２０から送信された信号を受信した場合にも、停電検出部７０が制御部８０に信号を出力するように構成されている。従って、制御部８０は、補助停電検出装置１２０からの信号を一定時間（例えば３秒間）継続して受信した場合においても、充放電切替部６０をバッテリ５０からの直流電力を電源切替部４０に供給する状態とすると共に、電源切替部４０を充放電切替部６０からの直流電力を発光部２０に供給する状態とすることとなる。
【００５７】
補助停電検出装置１２０は、照明スイッチ１１０のようなスイッチを有さない系統（電源ケーブル１０３、１０４）を介して交流電源１００に接続され、照明装置４の停電検出部７０とは別個に停電検出を行うものである。補助停電検出装置１２０は、補助装置側通信部１２１と、補助停電検出部１２２と、補助装置制御部１２３と、を備えている。
【００５８】
補助装置側通信部１２１は、照明装置４の通信部９２と通信を行うものである。補助停電検出部１２２は、交流電源１００に接続され、例えば停電に伴う電圧低下を検出することによって交流電源１００の停電を検出するものである。補助停電検出装置１２０においては、補助停電検出部１２２と交流電源１００の間にスイッチが存在しないため、電圧低下の検出等の簡便な手法により停電を検出することが可能となっている。補助停電検出部１２２は、交流電源１００の停電を検出した場合に、補助装置制御部１２３に信号を出力する。
【００５９】
補助装置制御部１２３は、既知のマイコン等から構成され、補助停電検出装置１２０の各部を制御するものである。補助装置制御部１２３は、補助停電検出部１２２が停電を検出している場合に、補助装置側通信部１２１を制御して照明装置４に向けて信号を送信する。また、補助装置制御部１２３は、補助停電検出部１２２が停電を検出していない場合には、信号を送信しないように補助装置側通信部１２１を制御する。
【００６０】
従って、照明装置４の制御部８０は、補助停電検出装置１２０の補助停電検出部１２２が一定時間（例えば３秒間）継続して停電を検出した場合、交流電源１００に停電が発生したと判定し、充放電切替部６０をバッテリ５０からの直流電力を電源切替部４０に供給する状態とすると共に、電源切替部４０を充放電切替部６０からの直流電力を発光部２０に供給する状態とする。これにより、発光部２０は、バッテリ５０によって点灯することとなる。
【００６１】
このように、本実施形態によれば、例えば交流電源１００と照明装置４を接続する電源ケーブル１０１、１０２の状態や、電源ケーブル１０１、１０２に接続された他の機器等の影響により停電時の微弱電流が発生しにくいような場合にも、補助停電検出装置１２０によって確実に停電を検出することが可能となっている。また、補助停電検出装置１２０は、照明装置４近傍のコンセント等に常時接続しておくだけでよいため、簡便さを維持したまま確実な停電の検出が可能となっている。
【００６２】
なお、図示は省略しているが、補助停電検出装置１２０は、補助装置制御部１２３等を動作させるための電力供給源としてのバッテリと、交流電源１００からの交流電力を変換して充電用の直流電力をバッテリに供給するＡＣ／ＤＣコンバータと、補助装置制御部１２３に制御されてバッテリの充放電を切り替える充放電切替部と、を備えている。
【００６３】
また、本実施形態の照明システム３は、複数の照明装置４を有するものであってもよく、この場合、照明装置４ごとに補助停電検出装置１２０を設けるようにしてもよいし、複数の照明装置４に対して１つの補助停電検出装置１２０を設けるようにしてもよい。また、照明装置４に取外し検出部９１を設けるようにしてもよい。
【００６４】
また、補助装置側通信部１２１からの信号の送信は、上述のように補助停電検出部１２２が停電を検出している期間中に継続して信号を送信するようにしてもよいし、補助停電検出部１２２が停電を検出した場合に検出スイッチ９０ｂをＯＮにする信号を送信し、補助停電検出部１２２が停電からの復帰を検出したときに検出スイッチ９０ｂをＯＦＦにする信号を送信するようにしてもよい。
【００６５】
さらに、補助停電検出装置１２０を、通常時（非停電時）に補助装置側通信部１２１から信号を連続的または断続的に送信し、停電時には補助装置側通信部１２１から信号を送信しないように構成すると共に、検出スイッチ切替部９３を、通信部９２が補助停電検出装置１２０からの信号を受信している場合に検出スイッチ９０ｂをＯＦＦとし、通信部９２が補助停電検出装置１２０からの信号を受信していない場合に検出スイッチ９０ｂをＯＮとするように構成してもよい。この場合、補助停電検出部１２２および補助装置制御部１２３の構成をさらに簡素化すると共に、補助停電検出装置１２０からバッテリを省略することが可能となる。
【００６６】
次に、第４の実施形態に係る照明システム５について説明する。本実施形態に係る照明システム５は、第３の実施形態に係る照明システム３において、照明装置４を照明装置６に置き換えたものであり、照明装置６は、照明装置４に遮断検出部９４および装置切離部９５を追加したものとなっている。従って、以下の説明においては、照明システム３と共通の部分については同一の符号を付すと共にその説明を省略し、異なる部分についてのみ説明する。
【００６７】
図５は、照明システム５の回路構成を示したブロック図である。照明装置６の備える遮断検出部９４は、検出機能拡張部９０よりも交流電源１００側において交流電源１００に接続され、電圧低下の検出等の簡便な手法により交流電源１００からの電力供給が遮断されたことを検出するものである。すなわち、遮断検出部９４は、停電と照明スイッチ１１０がＯＦＦの状態（遮断状態）とを区別せずに、交流電源１００から照明装置６への電力供給の遮断を検出する。
【００６８】
装置切離部９５は、遮断検出部９４が交流電源１００からの電力供給の遮断を検出したことに基づいて、停電検出部７０および検出機能拡張部９０を電源ケーブル１０２（すなわち、交流電源１００に繋がる系統）から切り離すものである。具体的に装置切離部９５は、電源ケーブル１０２側の検出機能拡張部９０と遮断検出部９４の間に設けられた切離スイッチ９５ａと共に例えばリレー等の既知の構成を備え、遮断検出部９４が電力供給の遮断を検出していない場合に切離スイッチ９５ａをＯＮ（接続状態）とし、遮断検出部９４が電力供給の遮断を検出した場合に切離スイッチ９５ａをＯＦＦ（遮断状態）とするように構成されている。
【００６９】
これにより、照明システム５においては、停電時に電源ケーブル１０１、１０２の間のインピーダンスおよびリアクタンスによりに生じる高周波の微弱電流は装置切離部９５によってカットされ、停電検出部７０は、検出機能拡張部９０の生成する高周波の微弱電流のみに基づいて制御部８０に向けて信号を出力するようになっている。すなわち、照明システム５では、補助停電検出装置１２０のみによって停電を検出するようにしている。このような構成とすることで、照明装置６と交流電源１００の接続状況によらず、照明スイッチ１１０がＯＦＦの状態を停電と誤検出する可能性を大幅に低減することが可能となる。
【００７０】
図６（ａ）および（ｂ）は、照明スイッチ１１０がＯＦＦの状態を停電と誤検出する可能性が高まる接続状況の例を示したブロック図である。例えば、図６（ａ）に示されるように複数の照明装置６を同一の系統（電源ケーブル１０１、１０２）に接続した場合、または図６（ｂ）に示されるように照明装置６と他の機器１３０を同一の系統に接続した場合、照明装置６同士または照明装置６と他の機器を繋ぐ閉回路Ｌ１〜Ｌ４が系統内に存在することとなる。このような閉回路Ｌ１〜Ｌ４内では、電力供給の遮断時に機器間の干渉等によって高周波の微弱電流が発生しやすいため、照明スイッチ１１０がＯＦＦの状態においても高周波の微弱電流が発生する可能性が高まることとなる。すなわち、照明スイッチ１１０がＯＦＦの状態を停電と誤検出する可能性が高まることとなる。
【００７１】
このため、本実施形態の照明システム５では、停電が発生した場合および照明スイッチ１１０がＯＦＦの場合のいずれにおいても、停電検出部７０および検出機能拡張部９０を電源ケーブル１０２から切り離すことで、系統内の閉回路Ｌ１〜Ｌ４内に発生した高周波の微弱電流が停電検出部７０に流入するのを防止し、補助停電検出装置１２０によってのみ停電を検出するようにしている。このようにすることで、照明装置６と交流電源１００の接続状況によらず、停電検出の精度を高めることが可能となる。また、停電検出部７０を変更する必要がないため、高精度な停電検出を簡便且つ安価に実現することが可能となっている。なお、切離スイッチ９５ａを電源ケーブル１０１側に設けるようにしてもよいことはいうまでもない。
【００７２】
次に、第５の実施形態に係る照明システム７について説明する。本実施形態に係る照明システム７は、第４の実施形態に係る照明システム５において、補助停電検出装置１２０を補助停電検出装置１２０ａに置き換えたものであり、補助停電検出装置１２０ａは、補助停電検出装置１２０に照度検出部１２４を追加したものとなっている。従って、以下の説明においては、照明システム５と共通の部分については同一の符号を付すと共にその説明を省略し、異なる部分についてのみ説明する。
【００７３】
図７は、照明システム７の回路構成を示したブロック図である。上述のように、補助停電検出装置１２０ａの備える照度検出部１２４は、既知の照度センサ（光センサ）から構成され、周囲の照度（明るさ）を検出するものである。そして、本実施形態の補助停電検出装置１２０ａの備える補助装置制御部１２３は、補助停電検出部１２２が停電を検出し、且つ照度検出部１２４が検出した周囲の照度が所定の閾値以下の場合に、補助装置側通信部１２１を制御して照明装置６に向けて信号を送信する。また、補助装置制御部１２３は、補助停電検出部１２２が停電を検出しているか否かに関わらず、照度検出部１２４が検出した周囲の照度が所定の閾値よりも大きい場合には、信号を送信しないように補助装置側通信部１２１を制御する。
【００７４】
このようにすることで、停電検出の精度を高めることが可能となる。すなわち、交流電源１００の停電時には、交流電源１００を電力の供給源とする周囲の全ての照明装置等が消灯することとなるが、電力供給系統の局所的な不具合や遮断機による電力供給の遮断の場合には、点灯したままの照明装置等が周囲に存在する可能性が高いため、適宜の位置に配置した補助停電検出装置１２０の周囲の照度を検出することで、停電をその他の不具合等とは区別して検出することが可能となる。
【００７５】
また、本実施形態では、遮断検出部９４および装置切離部９５を備える照明装置６を使用することで、照明スイッチ１１０がＯＦＦの状態でも高精度に停電を検出可能としながらも、例えば昼間の停電等、周囲が十分に明るいために発光部２０を点灯させる必要がない場合には、発光部２０を点灯させないようにすることが可能となる。これにより、照明装置６のバッテリ５０が無駄に消費されないようにすることができる。
【００７６】
なお、照明装置６の発光部２０の発する光を受ける位置に照度検出部１２４を配置する場合、例えば、補助停電検出部１２２が停電を検出し、且つ照度検出部１２４が検出した周囲の照度が所定の閾値以下である状態が一定時間（例えば３秒間）継続した後は、補助停電検出部１２２が停電を検出しているか否かのみに基づいて検出機能拡張部９０の検出スイッチ９０ｂのＯＮ／ＯＦＦを切り替えるように、補助装置側通信部１２１による信号の送信を制御すればよい。また、照明装置６に代えて照明装置４を使用するようにしてもよいことはいうまでもない。
【００７７】
次に、第６の実施形態に係る照明システム８について説明する。本実施形態に係る照明システム８は、第５の実施形態に係る照明システム７において、補助停電検出装置１２０ａを補助停電検出装置１２０ｂに置き換えたものであり、補助停電検出装置１２０ｂは、補助停電検出装置１２０ａから補助停電検出部１２２を省略したものとなっている。従って、以下の説明においては、照明システム７と共通の部分については同一の符号を付すと共にその説明を省略し、異なる部分についてのみ説明する。
【００７８】
図８は、照明システム８の回路構成を示したブロック図である。本実施形態の補助停電検出装置１２０ｂでは補助停電検出部１２２を省略しているため、補助装置制御部１２３は、照度検出部１２４の検出した周囲の照度が所定の閾値以下である場合に、補助装置側通信部１２１を制御して照明装置６に向けて信号を送信する。また、補助装置制御部１２３は、照度検出部１２４が検出した周囲の照度が所定の閾値よりも大きい場合には、信号を送信しないように補助装置側通信部１２１を制御する。
【００７９】
このようにすることで、より簡便に停電を検出することが可能となる。すなわち、照度検出部１２４を、交流電源１００を電力の供給源とする装置の発する光、および太陽光の少なくともいずれか一方を常に受ける位置に配置することで、周囲の照度の検出のみで停電を検出することが可能となる。具体的には、例えば昼間は太陽光を受け、夜間は常夜灯や街灯等からの光を受ける位置に照度検出部１２４を配置するようにすればよい。
【００８０】
また、照明システム８に含まれる照明装置６が常夜灯や街灯等として使用される場合には、照度検出部１２４を照明装置６の発光部２０が発する光を受ける位置に配置することもできる。この場合、例えば照度検出部１２４が検出した周囲の照度が所定の閾値以下である状態が一定時間（例えば３秒間）継続した後は、検出機能拡張部９０の検出スイッチ９０ｂがＯＮの状態を一定時間（例えば３０分間）継続させる、または手動のリセット操作が行われるまで継続させるように、補助装置側通信部１２１による信号の送信を制御すればよい。
【００８１】
また、本実施形態の補助停電検出装置１２０ｂは、必ずしも交流電源１００に接続する必要はないため、補助停電検出装置１２０ｂを他の電源に接続するようにしてもよいし、バッテリのみによって補助停電検出装置１２０ｂを駆動するようにしてもよい。また、通常時は常に光を受ける位置に照度検出部１２４が配置されることから、ソーラーセル（太陽電池）によってバッテリを充電するようにしてもよい。すなわち、本実施形態では、補助停電検出装置１２０ｂの配置が交流電源１００の構成によって制限されないため、補助停電検出装置１２０ｂを適切な位置に配置することが可能となっている。
【００８２】
以上説明したように、上記実施形態に係る照明装置１、２、４および６は、通電により光を発する発光部２０と、電力を蓄えるバッテリ５０と、発光部２０への電力の供給源を外部の交流電源１００とバッテリ５０の間で切り替える電源切替部４０と、交流電源１００の停電を検出した場合に信号を送信する停電検出部７０と、停電検出部７０からの信号の受信に基づいて、発光部２０への電力の供給源を交流電源１００からバッテリ５０に切り替えるように電源切替部４０を制御する制御部８０と、を備え、停電検出部７０は、交流電源１００に接続される一次コイル７１ａおよび制御部８０に接続される二次コイル７１ｂを有する高周波トランス７１を備えている。
【００８３】
このような構成とすることで、通常時の交流電力を遮断して制御部８０に伝えないようにしつつ、停電時に２本の電源ケーブル１０１、１０２の間のインピーダンスおよびリアクタンスにより生じる高周波の微弱電流を制御部８０に出力することが可能となるため、複雑な制御構成を採用することなく簡便に停電を検出し、発光部２０への電力供給源をバッテリ５０に切り替えて点灯させることができる。
【００８４】
また、照明装置２、４および６は、停電検出部７０の検出機能を拡張する検出機能拡張部９０を備え、検出機能拡張部９０は、停電検出部７０よりも交流電源１００側において一次コイル７１ａと並列に接続される補助コンデンサ９０ａまたは補助抵抗と、補助コンデンサ９０ａまたは補助抵抗と直列に接続され、補助コンデンサ９０ａまたは補助抵抗と一次コイル７１ａの接続および遮断を切り替える検出スイッチ９０ｂと、を備えている。このようにすることで、ソケットからの取り外しや外部からの信号の受信等の各種条件に基づいて停電検出部７０に信号を出力させ、発光部２０をバッテリ５０によって点灯させることが可能となるため、制御構成を複雑化することなく、照明装置２、４および６の使い勝手および汎用性を高めることができる。
【００８５】
また、照明装置４および６は、外部から送信された信号を受信する通信部９２と、通信部９２における外部からの信号の受信状態に基づいて、検出スイッチ９０ｂを遮断状態から接続状態に切り替える検出スイッチ切替部９３と、を備えている。このようにすることで、外部からの信号の受信状態に基づいて停電検出部７０に信号を出力させ、発光部２０をバッテリ５０によって点灯させることが可能となるため、制御構成を複雑化することなく、照明装置４および６の使い勝手および汎用性を高めることができる。
【００８６】
また、照明装置６は、交流電源１００からの電力供給の遮断を検出する遮断検出部９４と、遮断検出部９４が電力供給の遮断を検出したことに基づいて、停電検出部７０および検出機能拡張部９０を交流電源１００に繋がる系統から切り離す装置切離部９５と、を備えている。このようにすることで、補助停電検出装置１２０によってのみ停電を検出することが可能となるため、照明装置６と交流電源１００の接続状況によらず、停電検出の精度を高めることができる。また、制御構成を複雑化することなく、高精度な停電検出を実源することができる。
【００８７】
また、照明装置１、２、４および６は、蛍光灯用または電球用のソケットに接続可能な本体１０を備えている。このようにすることで、既存の蛍光灯または電球の代替として使用することが可能となるため、照明装置１、２および４の設置を容易にすると共に汎用性を高めることができる。
【００８８】
また、照明装置２は、蛍光灯用または電球用のソケットに接続可能な本体１０と、本体１０がソケットに接続されている場合に検出スイッチ９０ｂを遮断状態とし、本体１０がソケットから取り外されている場合に検出スイッチ９０ｂを接続状態とする取外し検出部９１と、を備えている。このようにすることで、停電時の暗闇の中でのスイッチ操作を必要とすることなく、照明装置２を点灯させて持ち運ぶことが可能となるため、照明装置２の使い勝手を高めることができる。
【００８９】
また、制御部８０は、停電検出部７０による停電の検出が一定時間継続した場合に、発光部２０への電力の供給源を交流電源１００からバッテリ５０に切り替えるように電源切替部４０を制御する。このようにすることで、瞬停を除外して停電検出の精度を高めることができる。
【００９０】
また、停電検出部７０は、一次コイル７１ａと並列に接続される双方向性ダイオード７２または抵抗と、双方向性ダイオード７２よりも交流電源１００側において一次コイル７１ａの一側に直列に接続されるコンデンサ７３と、双方向性ダイオード７２よりも交流電源１００側において一次コイル７１ａの他側に直列に接続される抵抗７４と、を備えている。このようにすることで、停電時に生じる高周波の微弱電流のうちの所望の周波数成分を抽出して制御部８０に出力することが可能となるため、停電を簡便に検出することができる。
【００９１】
また、上記実施形態に係る照明システム３、５および７は、照明装置４または６と、照明装置４または６とは別に設けられる補助停電検出装置１２０または１２０ａと、を備え、補助停電検出装置１２０または１２０ａは、照明装置４または６とは別系統を介して交流電源１００に接続され、停電を検出する補助停電検出部１２２と、通信部９２に向けて信号を送信する補助装置側通信部１２１と、補助停電検出部１２２が停電を検出したことに基づいて、検出スイッチ９０ｂを接続状態とするように補助装置側通信部１２１による信号の送信を制御する補助装置制御部１２３と、を備えている。
【００９２】
このような構成とすることで、簡便な制御構成でありながらも、照明装置４と交流電源１００の接続状況に影響されることなく確実に停電を検出し、発光部２０への電力供給源をバッテリ５０に切り替えて点灯させることができる。
【００９３】
また、照明システム７の補助停電検出装置１２０ａは、周囲の照度を検出する照度検出部１２４を備え、補助装置制御部１２３は、補助停電検出部１２２が停電を検出し、且つ照度検出部１２４が検出した周囲の照度が所定の閾値以下であることに基づいて、検出スイッチ９０ｂを接続状態とするように補助装置側通信部１２１による信号の送信を制御する。このようにすることで、停電をその他の不具合等とは区別して検出することが可能となるため、停電検出の精度を高めることができる。また、周囲が十分に明るいような場合に発光部２０を点灯させないようにすることが可能となるため、バッテリ５０の無駄な消費を防ぐことができる。
【００９４】
また、上記実施形態に係る照明システム８は、照明装置４または６と、照明装置４または６とは別に設けられる補助停電検出装置１２０ｂと、を備え、補助停電検出装置１２０ｂは、交流電源１００を電力の供給源とする装置の発する光および太陽光の少なくともいずれか一方を常に受ける位置に配置され、周囲の照度を検出する照度検出部１２４と、通信部９２に向けて信号を送信する補助装置側通信部１２１と、照度検出部１２４が検出した周囲の照度が所定の閾値以下であることに基づいて、検出スイッチ９０ｂを接続状態とするように補助装置側通信部１２１による信号の送信を制御する補助装置制御部１２３と、を備えている。
【００９５】
このような構成とすることで、周囲の照度の検出のみで停電を検出することが可能となるため、より簡便に停電を検出することができる。また、補助停電検出装置１２０ｂを交流電源１００に接続する必要がないため、補助停電検出装置１２０ｂを適切な位置に配置することができる。
【００９６】
以上、本発明の実施の形態について説明したが、本発明の照明装置および照明システムは、上記した実施の形態に限定されるものではなく、本発明の要旨を逸脱しない範囲内において種々変更を加え得ることは勿論である。例えば、本体１０の形状および各部の配置構成は，上記実施形態において示したものに限定されず、任意の形状および配置構成を採用することができる。
【００９７】
また、上記実施形態においては、本体１０を蛍光灯用ソケットまたは電球用ソケットに接続可能に構成した場合の例を示したが、本発明はこれに限定されるものではなく、その他の各種ソケットや端子等を介して交流電源１００に接続されるものであってもよい。また、上記実施形態では、照明装置１、２、４および６の各部を一体的に構成した場合の例を示したが、例えばバッテリ５０および充放電切替部６０等、一部を別体的に構成するようにしてもよい。
【００９８】
また、上記実施形態においては、光源としてＬＥＤ素子２２を備える発光部２０を設けた場合の例を示したが、本発明はこれに限定されるものではなく、発光部２０は、例えば蛍光灯、発熱電球または有機ＥＬ等、その他の光源を備えるものであってもよい。また、光源の配置構成が限定されないことは言うまでもなく、複数の光源を別体的に配置するようにしてもよい。
【００９９】
また、上記実施形態において示した作用および効果は、本発明から生じる最も好適な作用および効果を列挙したものに過ぎず、本発明による作用および効果は、これらに限定されるものではない。
【産業上の利用可能性】
【０１００】
本発明の照明装置および照明システムは、各種照明の分野ならびに防災および保安の分野において利用することができる。
【符号の説明】
【０１０１】
１、２、４、６  照明装置
３、５、７、８  照明システム
１０  本体
２０  発光部
４０  電源切替部
５０  バッテリ
７０  停電検出部
７１  高周波トランス
７１ａ  一次コイル
７１ｂ  二次コイル
７２  双方向性ダイオード
７３  コンデンサ
７４  抵抗
８０  制御部
９０  検出機能拡張部
９０ａ  補助コンデンサ
９０ｂ  検出スイッチ
９１  取外し検出部
９２  通信部
９３  検出スイッチ切替部
９４  遮断検出部
９５  装置切離部
１００  交流電源
１２０、１２０ａ、１２０ｂ  補助停電検出装置
１２１  補助装置側通信部
１２２  補助停電検出部
１２３  補助装置制御部
１２４  照度検出部
【図１】
0005914728.tif 000002
【図２】
0005914728.tif 000003
【図３】
0005914728.tif 000004
【図４】
0005914728.tif 000005
【図５】
0005914728.tif 000006
【図６】
0005914728.tif 000007
【図７】
0005914728.tif 000008
【図８】
0005914728.tif 000009